(57)【特許請求の範囲】
【請求項１】
複数の動画データを記録媒体から読み出す読み出し手段と、
前記複数の動画データのメタデータに基づいて、高輝度部分を抑圧するガンマ特性の第１の撮影モードで撮影された動画データと、高輝度部分の抑圧が相対的に少ないガンマ特性の第２の撮影モードで撮影された動画データとが、前記複数の動画データに混在しているかを判定する判定手段と、
前記複数の動画データを結合する結合手段と、
結合する前記複数の動画データに前記第１の撮影モードで撮影された動画データと前記第２の撮影モードで撮影された動画データとが混在しているか否かに応じて、結合前の前記動画データのメタデータを結合後の動画データへ引き継いで付与するか否かを制御する制御手段
とを備えることを特徴とする動画処理装置。
【請求項２】
前記制御手段は、
前記複数の動画データに前記第１の撮影モードで撮影された動画データと前記第２の撮影モードで撮影された動画データとが混在していないと判定された場合は、結合前の前記動画データのメタデータを結合後の動画データへ引き継ぐことにより、前記第１の撮影モード、または、前記第２の撮影モードのいずれかで撮影された動画データとして扱われるようにし、
前記複数の動画データに前記第１の撮影モードで撮影された動画データと前記第２の撮影モードで撮影された動画データとが混在していると判定された場合は、結合前の前記動画データのメタデータを結合後の動画データへ引き継がずに、当該結合後の動画データが前記第１の撮影モードで撮影された動画データとして扱われるようにする、
ことを特徴とする請求項１に記載の画像処理装置。
【請求項３】
前記メタデータは、前記動画データの撮像時の撮影モードを示す情報であることを特徴とする請求項１又は２に記載の動画処理装置。
【請求項４】
前記メタデータは、前記動画データの撮像時の撮影モードを示す情報、入力ダイナミックレンジ、撮像時のガンマ形状情報及び撮影時のベースガンマのうち少なくとも一つを有することを特徴とする請求項１又は２に記載の動画処理装置。
【請求項５】
前記複数の動画データのそれぞれに付与されたメタデータが異なる場合に、その旨を表示する表示手段を具備することを特徴とする請求項１から４のいずれか１項に記載の動画処理装置。
【請求項６】
前記判定手段は、前記複数の動画データの所定のメタデータが異なる場合に、前記第１の撮影モードで撮影された動画データと、前記第２の撮影モードで撮影された動画データとが混在していると判定することを特徴とする請求項１から５のいずれか１項に記載の動画処理装置。
【請求項７】
前記結合手段で結合する前記複数の動画データが、前記第１の撮影モードで撮像された動画データと、前記第２の撮影モードで撮像された動画データを含む場合に、前記結合後の動画データを、前記第１の撮影モードに対応するガンマ補正カーブでガンマ補正するガンマ補正処理手段を有することを特徴とする請求項１から６のいずれか１項に記載の動画処理装置。
【請求項８】
動画データに基づいて動画を表示手段に表示するように制御する表示制御手段を有し、
前記表示制御手段は、前記第１の撮影モードで撮影された動画データの場合は、予め決められたガンマ補正情報に基づいて動画を補正して表示するように制御し、前記第２の撮影モードで撮影された動画データの場合は、前記動画データのメタデータに含まれるガンマ特定に関する情に基づいてに基づいて動画を補正して表示するように制御することを特徴とする請求項４に記載の動画処理装置。
【請求項９】
複数の動画データを記録媒体から読み出す読み出し工程と、
前記複数の動画データのメタデータに基づいて、高輝度部分を抑圧するガンマ特性の第１の撮影モードで撮影された動画データと、高輝度部分の抑圧が相対的に少ないガンマ特性の第２の撮影モードで撮影された動画データとが、前記複数の動画データに混在しているかを判定する判定工程と、
前記複数の動画データを結合する結合工程と、
結合する前記複数の動画データに前記第１の撮影モードで撮影された動画データと前記第２の撮影モードで撮影された動画データとが混在しているか否かに応じて、結合前の前記動画データのメタデータを結合後の動画データへ引き継いで付与するか否かを制御する制御工程と、
を備えることを特徴とする動画処理装置の制御方法。
【発明の詳細な説明】
【技術分野】
【０００１】
本発明は、異なるガンマ特性の動画を結合する動画処理装置に関する。
【背景技術】
【０００２】
従来の画像記録再生システムでは、記録側（撮像側）で高輝度部分を圧縮するガンマ補正を施し、再生側（表示側）で高輝度成分を元に戻すガンマ補正を施すことで、全体として輝度に対してリニアな表現を実現する。このような処理は主として、関与するデバイスの非線形な入出力特性とダイナミックレンジの狭さを補償するためである。
【０００３】
デジタル技術と利用できるリソースの性能向上に伴い、従来通りの高輝度部分を圧縮するガンマ補正の撮影モード（通常撮影モード）の他に、高輝度部分を圧縮しない撮影モード（高輝度優先モード）を選択できる撮像装置が提案されている。どちらの撮影モードで撮影された画像かを表示装置側で判別できるように、撮像画像のメタデータに、通常撮影モードと高輝度優先モードを識別するためのフラグを含めて、伝送する。メタデータは他に、入力ダイナミックレンジ、表示輝度基準値に対する倍率、ピーク輝度値、撮像手段のガンマ形状情報及び撮像手段のベースガンマ等の情報を含む。
【０００４】
特許文献１には、動画データのメタデータに照度切替え時間情報を含め、表示装置が、その照度切替え時間情報に従った時間で照度を切替えるようにした技術が記載されている。
【先行技術文献】
【特許文献】
【０００５】
【特許文献１】特開２００４−１１２２９０号公報
【発明の概要】
【発明が解決しようとする課題】
【０００６】
高輝度優先モードで撮影された画像を再生する場合、中低輝度部の明るさを通常撮影モード時の明るさと同等にすることで、表示画像が暗くなることを防止できる。つまり、高輝度優先モードの画像を表示する場合、通常撮影モードのそれと比較して、表示装置の輝度が相対的に高くなる。
【０００７】
通常撮影モードの動画と高輝度優先モードで撮影された動画を連続的に再生する場合、表示部で処理すべきガンマ補正内容が異なることから、表示画像の平均的な明るさが変化し、観者に違和感を与えてしまう。ガンマ特性の異なる複数の動画を結合して、一体に表示する場合にも、同様の問題が生じうる。
【０００８】
本発明は、このような問題点に鑑み、ガンマ特性の異なる複数の動画を連続表示用に結合する場合に、メタデータを適切に処理する動画処理装置を提示することを目的とする。
【課題を解決するための手段】
【０００９】
上記課題を解決するために、本発明に係る動画処理装置は、
複数の動画データを記録媒体から読み出す読み出し手段と、複数の動画データのメタデータに基づいて、高輝度部分を抑圧するガンマ特性の第１の撮影モードで撮影された動画データと、高輝度部分の抑圧が相対的に少ないガンマ特性の第２の撮影モードで撮影された動画データとが、複数の動画データに混在しているかを判定する判定手段と、複数の動画データを結合する結合手段と、結合する複数の動画データに第１の撮影モードで撮影された動画データと第２の撮影モードで撮影された動画データとが混在しているか否かに応じて、結合前の動画データのメタデータを結合後の動画データへ引き継いで付与するか否かを制御する制御手段とを備えることを特徴とする。
【発明の効果】
【００１０】
本発明によれば、複数の動画を結合する際に、結合前の動画のメタデータの結合後の動画データへの引き継ぎを制御する。これにより、結合対象の動画のガンマ特性が同じか異なるかで、メタデータを一貫した態様で扱える。
【図面の簡単な説明】
【００１１】
【図１】本発明の実施例の概略構成ブロック図である。
【図２】本実施例の撮像時の制御フローチャートである。
【図３】本実施例の動画合成時の制御フローチャートである。
【図４】ガンマ補正を説明する模式図である。
【図５】撮像時のモニタ画面例である。
【図６】本実施例の表示時の制御フローチャートである。
【発明を実施するための形態】
【００１２】
以下、図面を参照して、本発明の実施例を詳細に説明する。
【実施例１】
【００１３】
図１は、本発明に係る動画処理装置の一実施例を実装した撮像装置の概略構成ブロック図である。図１に示す撮像装置１００は、撮影モードとして、通常通り高輝度部分を抑圧するガンマ特性の通常撮影モードの他に、高輝度を優先するガンマ特性（例えば、輝度に対して直線の特性）の高輝度優先モードを有する。ユーザは、高輝度優先撮影モードと通常撮影モードのいずれの撮影モードを採用するかを選択できる。高輝度優先モードは、通常撮影モードのガンマ特性に比して相対的に高輝度部分の抑圧を低減したガンマ特性を持つ撮影モードの一例である。
【００１４】
撮像装置１００の撮影光学系はレンズ１０１と絞り１０２を有し、レンズ１０１及び絞り１０２を介した被写体光学像がイメージセンサ（撮像素子）１０５の撮像面上に結像する。イメージセンサ１０５は、撮像面上の被写体光学像を電気信号（画像信号）に変換し、生成された画像信号を信号処理部１１２に供給する。
【００１５】
信号処理部１１２は、ホワイトバランス補正処理部１０７、エッジ強調処理部１０８、ガンマ補正処理部１０９及び輝度／色情報検出部を具備する。信号処理部１１２におけるホワイトバランス補正処理、エッジ強調処理、ガンマ補正処理、輝度／色情報検出処理以外の処理については、省略してある。信号処理部１１２は、ガンマ補正処理部１０９により処理された画像データを所定映像形式の動画データに変換した上で、カメラマイコン１１１及び記録再生部１１３に供給する。
【００１６】
ホワイトバランス補正処理部１０７は、イメージセンサ１０５からの画像信号に対しホワイトバランス補正処理を施す。エッジ強調処理部１０８は、ホワイトバランス補正処理部１０７により処理された画像信号にエッジ強調処理を施す。ガンマ補正処理部１０９は、エッジ強調処理部１０８により処理された画像信号にガンマ補正処理を施す。輝度／色情報検出部１１０は、ガンマ補正処理部１０９から出力される画像信号の画像を水平垂直方向に分割して複数の輝度／色情報検出枠を設定し、各輝度／色情報検出枠内の画素値を積分して各検出枠の輝度情報及び色情報を検出する。輝度／色情報検出部１１０は、検出した輝度情報および色情報をカメラマイコン（カメラ制御部）１１１に供給する。
【００１７】
カメラマイコン１１１は、輝度／色情報検出部１１０からの輝度情報及び色情報などの被写体情報を用いて、ホワイトバランス補正処理、エッジ強調処理及びガンマ補正処理に用いる各補正値を算出する。カメラマイコン１１１は、算出した各補正値をそれぞれ処理部１０７，１０８，１０９に供給し、それら補正値を使ったホワイトバランス補正処理、エッジ強調処理及びガンマ補正処理を行わせる。
【００１８】
カメラマイコン１１１は、イメージセンサ制御部１０６を介してイメージセンサ１０５の電荷蓄積と読み出し及び露光時間（シャッタスピード）などを制御する。カメラマイコン１１１は、レンズ制御部１０３を介してレンズ１０１のフォーカスとズームなどを制御する。カメラマイコン１１１は、輝度／色情報検出部１１０によって検出された輝度情報および色情報に従い、絞り制御部１０４を介して絞り１０２を制御する。さらに、カメラマイコン１１１は、レンズ制御部１０３を通じたレンズ１０１の駆動、または、信号処理部１１２の制御により、使用者の撮影時の手ぶれを補正できる。
【００１９】
記録再生部１１３は、信号処理部１１２からの動画データとそのメタデータを圧縮符号化し、得られた圧縮データを記録媒体１１４に記録する。記録再生部１１３はまた、記録媒体１１４から圧縮データを読み出して伸長することにより、動画データとそのメタデータを復元する。記録再生部１１３は、記録中の動画データとそのメタデータまたは記録媒体１１４から再生した動画データとそのメタデータをモニタ用にカメラマイコン１１１に供給する。記録媒体１１４は例えば、磁気テープ、光ディスク、不揮発性半導体メモリまたはハードディスクなどからなる。動画の圧縮伸長機能は、カメラマイコン１１１上でソフトウエアにより実現するように構成しても良い。
【００２０】
カメラマイコン１１１は、撮影モードが異なる動画データが続けて入力される場合に機能する解析手段１２０、結合手段１２１及び決定手段１２２を具備する。解析手段１２０は、動画データに付属するメタデータを解析する。結合手段１２１は、撮影モードの異なる動画データを結合する。決定手段１２２は、結合手段１２１により結合された動画データに引き継ぐべきメタデータを決定する。これら手段１２０，１２１，１２２の機能の詳細は、後述する。
【００２１】
ユーザは、操作部１１９を使って、カメラマイコン１１１に動作モードと種々の動作を指示できる。例えば、ユーザは、撮影モードでは、記録の開始と終了を指示でき、再生モードでは再生対象の動画の指定と、再生の開始・停止の指示を行える。
【００２２】
ディスプレイ１３０は、ディスプレイ１３０の全体を制御するディスプレイマイコン１３１と、入力動画データを画像処理する信号処理部１３２と、メタデータを解析するメタデータ解析部１３８と、画像を表示する表示素子１３９を具備する。信号処理部１３２では、画質モード設定部１３３が入力する動画の画質（例えば、解像度）に応じた画質モードを設定し、ピーク輝度設定部１３４がピーク輝度を設定する。色補正部１３５が、表示素子１３９に応じた色空間に色データを補正する。ガンマ補正処理部１３６は、ディスプレイマイコン１３１により指定されるガンマ補正特性で入力画像のガンマ特性を補正する。高輝度適応処理部１３７は、高輝度優先モードの場合のディスプレイマイコン１３１からの指示に従い高輝度優先モードに適応した処理を施す。ディスプレイマイコン１３１は、入力する動画データに付属するメタデータに従い信号処理部１３２、特にガンマ補正処理部１３６を制御する。表示素子１３９は、信号処理部１３２により画像処理された動画データを画像表示する。
【００２３】
図２は、撮影モードに応じて階調補正処理のフローチャートを示す。カメラマイコン１１１は、図２に示すフローチャートに従い、動画撮影に適用される撮影モードに応じてガンマ補正処理部１０９のガンマ補正特性を決定し、動画データとともに記録すべきメタデータを生成する。例えば、ユーザが動作モードとして撮影モードを設定すると、カメラマイコン１１１が、図２に示す階調補正処理を開始する。
【００２４】
カメラマイコン１１１は、まず、入力ダイナミックレンジを決定する（Ｓ２０１）。ここでの入力ダイナミックレンジは、撮影モードによってあらかじめ設定された所定値か、または、輝度／色情報検出部１１０によって検出された輝度情報および色情報を基に算出された値である。次に、カメラマイコン１１１は、輝度／色情報検出部１１０によって検出された輝度情報および色情報を基に露出制御を行う（Ｓ２０２）。
【００２５】
カメラマイコン１１１は、撮影モードが高輝度優先モードか通常撮影モードかを判断する（Ｓ２０３）。高輝度優先モードが指定されている場合（Ｓ２０３）、カメラマイコン１１１は、ガンマ補正処理に用いるガンマ補正特性として高輝度優先用ガンマ補正カーブを決定する（Ｓ２０４）。そして、カメラマイコン１１１は、高輝度優先モードに対応したメタデータを生成し、記録再生部１１３に記録用に設定する（Ｓ２０５）。ここで生成するメタデータは、高輝度優先モードを示す撮影モードフラグ、入力ダイナミックレンジ、予め設定された表示輝度の基準値に対する倍率、ピーク輝度値、撮像手段のガンマ形状情報、及び撮像手段のベースガンマなどからなる。
【００２６】
撮影モードとして通常撮影モードが指定されている場合（Ｓ２０３）、カメラマイコン１１１は、ガンマ補正処理に用いるガンマ補正特性として通常撮影用ガンマ補正カーブを決定する（Ｓ２０６）。そして、カメラマイコン１１１は、通常撮影モードに対応したメタデータを生成し、記録再生部１１３に記録用に設定する（Ｓ２０７）。ここで生成メタデータは、通常撮影モードを示す撮影モードフラグ、入力ダイナミックレンジ、予め設定された表示輝度の基準値に対する倍率、ピーク輝度値、撮像手段のガンマ形状情報及び撮像手段のベースガンマなどである。メタデータに含める要素として高輝度優先モードと通常撮影モードで異なるのは、高輝度優先モードか通常撮影モードかを識別する撮影モードフラグのみである。
【００２７】
ステップＳ２０５，Ｓ２０７の後、カメラマイコン１１１は、Ｓ２０４，Ｓ２０６でそれぞれ決定したガンマ補正カーブをガンマ補正処理部１０９にセットして（Ｓ２０８）、図２に示すフローを終了する。ガンマ補正処理部１０９は、Ｓ２０８でセットされたガンマ補正カーブを使ってイメージセンサ１０５からの画像データにガンマ補正処理を施す。
【００２８】
図２に示す階調補正処理は、撮影モードで高輝度優先モードから通常撮影モードにまたはその逆に切り替えられるか、撮影モード以外の動作モードに切り替えられると、再実行される。
【００２９】
図３は、高輝度優先モードの動画と通常撮影モードの動画を時間的に続けて結合する場合の、メタデータの扱いに関する動作フローチャートである。カメラマイコン１１１は、図３に示す処理を例えば、高輝度優先モード（または通常撮影モード）の動画に続けて通常撮影モード（または高輝度優先モード）の動画を再生表示するような場合に実行する。
【００３０】
カメラマイコン１１１は、結合すべき動画のユーザによる選択を待つ（Ｓ３０１）。ユーザは、操作部１１９を使って結合すべき２つの動画をカメラマイコン１１１に指示できる。３つ以上の動画を同時に指定してもよいが、理解を容易にするため、ここでは、２つの動画を指定した場合を例に説明する。選択済みの動画を再度、操作部１１９で選択する操作を、カメラマイコン１１１は、選択の解除とみなす。このような反転処理は周知である。
【００３１】
カメラマイコン１１１の解析手段１２０は、Ｓ３０１で選択された２の動画のメタデータが同じかどうかを判定する。ここでの説明例では、カメラマイコン１１１は、撮影モードフラグが同じかどうかを判定する。メタデータが同じ場合（Ｓ３０２）、カメラマイコン１１１は、メタデータの相違を示す混在フラグに"０"をセットする。メタデータが相違する場合（Ｓ３０２）、カメラマイコン１１１は、混在フラグに"１"をセットし、メタデータが引き継がれない旨の警告をディスプレイ１３０に表示する。一方の動画にメタデータが付与されているが、他方の動画にメタデータが付与されている場合、カメラマイコン１１１は、メタデータが相違すると判定する。
【００３２】
Ｓ３０３，Ｓ３０４の後、カメラマイコン１１１は、ユーザによる結合実行の指示を待つ（Ｓ３０５）。ユーザが操作部１１９を使って結合の実行をカメラマイコン１１１に指示しないと（Ｓ３０５）、カメラマイコン１１１は、Ｓ３０１に戻り、Ｓ３０１〜Ｓ３０４を繰り返す。
【００３３】
ユーザによる結合の指示があると（Ｓ３０５）、カメラマイコン１１１の結合手段１２１が、選択された動画データを結合する。そして、決定手段１２２が、混在フラグを参照して、結合後の動画データへのメタデータの引き継ぎの要否を決定する（Ｓ３０６）。具体的には、決定手段１２２は、混在フラグが"０"か"１"かを調べる（Ｓ３０６）。混在フラグが"１"の場合（Ｓ３０６）、カメラマイコン１１１は、結合後の動画データにメタデータを引き継がせない（Ｓ３０７）。すなわち、結合後の動画データは、通常撮影モードで撮影されたものとして扱われることになる。他方、混在フラグが"０"の場合（Ｓ３０６）、カメラマイコン１１１は、結合後の動画データにメタデータを引き継ぐ（Ｓ３０８）。すなわち、結合後の動画データは、結合前の動画データと同じ撮影モードで撮影されたものとして扱われる。
【００３４】
図３に示すフローでの「結合」は、２つの動画のデータを１ファイルにまとめる場合に限らず、２つ以上の動画を連続再生するように指定する場合も含む。複数の動画を連続再生する場合にも、表示上、同様の問題が発生しうるからである。
【００３５】
図４を参照して、高輝度優先モード用のガンマ補正特性を説明する。図４（ａ）は、入力ダイナミックレンジがｘ１に対応するガンマ特性４０２と、入力ダイナミックレンジがｘ２に対応するガンマ特性４０４を示す。ガンマ特性４０２は、ＩＴＵ−Ｒ  ＢＴ．７０９などで規格化されているガンマ特性である。ガンマ特性４０４は、入力ダイナミックレンジを実用的な範囲に拡張したものである。ガンマ特性４０２に対するガンマ特性４０４は、コントラストの圧縮度を弱めて入力コードに対する出力コードの関係を一定に保ち、低輝度から高輝度までのビットの割り振りを固定する特性となっている。
【００３６】
図４（ｂ）は、撮像時のガンマ特性４０６と表示装置のガンマ特性４０８の乗算結果が、ユーザの観察するモニタ画面上のガンマ特性４１０になることを示す。理想的にはガンマ特性４１０が被写体輝度に対してリニアになるように、ガンマ特性４０６又はガンマ特性４０８を設定することになる。
【００３７】
基準となる入力ダイナミックレンジｘ１に対応する撮像手段のガンマ特性４０６を、
ｙ＝ｆ（ｘ）
とすると、入力ダイナミックレンジをｔ倍にする際の撮像手段のガンマ特性は、
ｙ＝ｆ（ｘ／ｔ）
とすればよい。入力ダイナミックレンジは、製品ごとに適正な値を設定してもよいし、同一製品内での撮影モードごとに適正な値を設定してもよい。さらに、同一撮影モード内において、撮影シーンごとに適応的に設定しても構わない。
【００３８】
図５及び図６を参照して、高輝度優先モードでの撮影時の画面例と、モニタ中のディスプレイ１３０のガンマ補正制御動作を説明する。
【００３９】
図５は、高輝度優先モード時の適正露出表示例を示す。撮影対象の被写体画像を表示するビューファインダ（例えば、ディスプレイ１３０）の画面の左上に撮影条件５０２が表示され、左下に露出状態５０４が表示される。撮影条件５０２は、図示例では、絞り値（ＩＲＩＳ）、シャッタスピード（ＳＨＴ）、ゲイン（ＧＡＩＮ）を含む。露出状態５０４は、オーバー露出からアンダー露出までを示すバー上に現在の露出値を三角形で図示する。ユーザが操作部１１９により絞り値、シャッタスピードまたはゲインの値を変更すると、露出状態５０４の指示値の位置も更新される。
【００４０】
本実施例の高輝度優先モード時のガンマ特性は、通常撮影モードのガンマ特性と比較すると相対的に暗めの特性となり、その分、適正露出値も暗めの値となる。したがって、高輝度優先モード時に適性露出値になっているかどうかを、ユーザは露出状態５０４の指示値を見ることで確認できる。
【００４１】
図６は、高輝度撮影モードで撮影中の画像をディスプレイ１３０でモニタする際の、ディスプレイマイコン１３１による階調補正処理のフローチャートである。メタデータ解析部１３８が、動画データと共に入力するメタデータを解析し、解析結果をディスプレイマイコン１３１に供給する。
【００４２】
ディスプレイマイコン１３１は、メタデータ解析部１３８からのメタデータの撮影モードフラグ（通常撮影モードか高輝度優先モードかを示す識別情報）により、入力動画データが高輝度撮影モードで撮影されたものかどうかを判定する（Ｓ６０１）。もちろん、ユーザは操作部１１９等により、どちらの撮影モードに対応するガンマ補正を適用すべきかをマニュアルで、カメラマイコン１１１を介してディスプレイマイコン１３１に指定できる。
【００４３】
高輝度優先モードの場合（Ｓ６０１）、ディスプレイマイコン１３１は、メタデータに含まれる撮像手段のガンマ形状情報及びベースガンマに従い、表示手段のガンマ特性を撮像手段のガンマ特性の逆特性に最も近くするガンマ補正カーブを決定する（Ｓ６０２）。ディスプレイマイコン１３１は、メタデータに含まれる情報を用いずに、高輝度優先映像用に予め決められたガンマ補正カーブを採用しても良い。
【００４４】
他方、通常撮影モードの場合（Ｓ６０１）、ディスプレイマイコン１３１は、通常映像用に予め決められたガンマ補正カーブを決定する（Ｓ６０３）。
【００４５】
ディスプレイマイコン１３１は、ステップＳ６０２，Ｓ６０３で決定したガンマ補正カーブをガンマ補正処理部１３６にセットし、ガンマ補正処理部１３６は、セットされたガンマ補正カーブで入力動画をガンマ補正処理する（Ｓ６０４）。
【００４６】
ディスプレイマイコン１３１は、ディスプレイ１３０の電源が切断されて制御が終了するまで、図６に示すディスプレイ階調補正処理を繰り返す。
【００４７】
以上述べたように、動画処理装置において、入力ダイナミックレンジによらず、撮像時のガンマ補正処理によるコントラスト圧縮を回避できる。撮像時のガンマ特性と表示時のガンマ特性を合わせたシステムトータルでの階調特性を輝度に対してリニアにすることができる。暗部からハイライト部まで全域で、より自然な階調性、色再現性及び鮮鋭感を実現できる。撮像時のガンマ特性の逆特性に最も近くなるように、表示時のガンマ特性を切り替えることで、システムトータルでの階調特性のリニアリティ精度を改善でき、階調性、色再現性及び鮮鋭感がより向上する。
【図１】
0006604822.tif 000002
【図２】
0006604822.tif 000003
【図３】
0006604822.tif 000004
【図４】
0006604822.tif 000005
【図５】
0006604822.tif 000006
【図６】
0006604822.tif 000007